(57)【要約】      （修正有）【課題】像担持体内部で発生する気柱共鳴周波数による気柱共鳴音の周波数帯域を、画像形成装置の帯電周波数とその整数倍の周波数以外の周波数帯域に簡単に設定して騒音を低減する画像形成装置を提供する。【解決手段】像担持体１の内部空間内で隔壁５Ａを軸芯方向の非共鳴位置に位置決め設定することにより、設定される円筒体長さｘでの気柱共鳴周波数が、帯電体３の帯電周波数及びその整数倍の周波数から離れた周波数帯域に選択設定され、像担持体１の内部空間の気柱共鳴音が、帯電周波数及びその整数倍の周波数と共鳴増大して騒音となることを避けることが可能になり、気柱共鳴音に基づく騒音のレベルを大幅に低減することが可能になる。【選択図】図１
2006072089.tif 000002
【特許請求の範囲】
【請求項１】
静電潜像を担持する像担持体と、該像担持体を保持する像担持体保持部と、前記像担持体を帯電する帯電体とを備えた画像形成装置において、
前記像担持体と前記像担持体保持部とに囲まれて形成される円筒状の内部空間に配設され、前記像担持体の軸芯に直角方向に、前記内部空間を密封区分する隔壁と、
前記内部空間内で、該隔壁を前記像担持体の軸芯方向の所定位置に配設し、該所定位置を、該所定位置に対応する前記内部空間の気柱共鳴周波数が、前記帯電体の帯電周波数及びその整数倍の周波数以外となる非共鳴位置に位置決め設定する共鳴距離調整手段と
を有することを特徴とする画像形成装置。
【請求項２】
担持体保持部から像担持体の軸芯に平行に突出配設され、先端が隔壁を非共鳴位置に位置決め配設する突起長の突起部がさらに設けられ、共鳴距離調整手段が、前記突起部によって前記隔壁を前記非共鳴位置に位置決めすることを特徴とする請求項１記載の画像形成装置。
【請求項３】
像担持体保持部を貫通して内部空間内に突出する突起部を備えた位置決め用治具がさらに設けられ、共鳴距離調整手段が、像担持体外部から前記突起部によって、隔壁を非共鳴位置に位置決め配設することを特徴とする請求項１記載の画像形成装置。
【請求項４】
隔壁が像担持体の内径より僅かに大きい外径の弾性体で形成され、共鳴距離調整手段によって非共鳴位置に位置決めされる隔壁は、弾性復帰力によって前記像担持体の内面に固定保持され、内部空間内に安定に配設されることを特徴とする請求項１記載の画像形成装置置。
【請求項５】
共鳴距離調整手段によって非共鳴位置に位置決め設定される隔壁に、位置調整用の取っ手が設けられていることを特徴とする請求項１または請求項４記載の画像形成装置。
【請求項６】
像担持体保持部及び隔壁を貫通して、像担持体の軸芯位置に前記像担持体保持部を支持する支持軸が、さらに設けられていることを特徴とする請求項１記載の画像形成装置。
【請求項７】
支持軸が像担持体保持部及び隔壁の貫通孔位置で、前記像担持体保持部及び前記隔壁に強固に密封保持されていることを特徴とする請求項６記載の画像形成装置。
【請求項８】
隔壁が、像担持体との対接位置において、前記像担持体の軸芯に平行に延長され、前記像担持体の内面との接触面積が拡大されていることを特徴とする請求項１記載の画像形成装置。
【請求項９】
隔壁には加圧気体が封入される内部空洞が形成され、共鳴距離調整手段によって非共鳴位置に位置決め配設される前記隔壁は、前記加圧気体による接触圧で、前記像担持体の内面に固定保持され内部空間内に安定に配設されることを特徴とする請求項１記載の画像形成装置。
【請求項１０】
隔壁の表面に前記隔壁よりも硬い形状安定板がさらに固定されていることを特徴とする請求項１または請求項４記載の画像形成装置。
【発明の詳細な説明】
【技術分野】
【０００１】
本発明は電子写真方式の画像形成装置、特に内部騒音の低減機能を備えた画像形成装置に関する。
【背景技術】
【０００２】
複写機、プリンタ、ファクシミリなどの電子写真方式の画像形成装置では、像担持体として感光体ドラムが用いられ、帯電手段で感光体ドラムを均一に帯電した後に、露光手段による露光によって、感光体ドラムに対象画像の静電潜像が形成され、この静電潜像が現像手段でトナー像に現像され、このトナー像が中間転写ベルトや転写紙などに転写されて画像形成が行なわれる。
この画像形成に際しては、感光体ドラムが円筒体であるために、帯電手段での感光体ドラムへの帯電時に発生する外部静電エネルギによって、感光体ドラムが振動し、感光体ドラムの表面から発生する放射音に基づき騒音が発生することがある。
【０００３】
この問題を解決するために、後記する特許文献１には、筒状の基部と基部から放射状に突出する複数の羽根を備えた制振部材を、感光体ドラム内部に羽根の先端が感光体ドラムの内周面に圧接するように配設することにより、感光体ドラムの振動音を低減し、感光体ドラムの変形を阻止する技術が開示されている。
また、後記する特許文献２には、芯金の周囲を発泡部材とチューブからなる弾性体により囲繞して帯電ローラを構成し、加圧ばねによってチューブを感光ドラムに押圧接触させ、電源により帯電バイアスを芯金に印加し、弾性体を介して感光体ドラム表面を一様に帯電する技術が開示されている。この場合、弾性体による感光体ドラムとの接触面についてのアスカーＣ硬度を５５″以下に、また、国際ゴム硬度規格のＩＲＨＤを８０″以下に設定することにより、帯電音、トナー付着を低減し、感光体ドラムの帯電ローラとの対接近傍では内部騒音を低減することができる。
【特許文献１】特開２００２−１０８１３５号公報
【特許文献２】特開平７−９２７７６号公報
【発明の開示】
【発明が解決しようとする課題】
【０００４】
ところで画像形成装置では、感光体ドラムの振動以外の原因で発生する騒音が存在し、その主要なものが、感光体ドラムの円筒状の内部空間に存在する空気の共振により発生する気柱共鳴音である。
「音の何でも小事典」（日本音響学会編  講談社）ｐｐ２８１によると、密封された円筒体で発生する気柱共鳴音の気柱共鳴周波数ｆは、ｃを音速、ｘを円筒体長さ、ｎを自然数１、２、３・・・として、次式で求められる。
【０００５】
ｆ＝ｎｃ／２ｘ                                ・・・ （１）
【０００６】
一方、Ａ３タイプの複写機、プリンタに搭載されている感光体ドラムは、Ａ３タイプ用紙の短手方向の長さの規定によって、ほぼ３４０ｍｍ前後に設定されていることが多い。  一般的な音速値をほぼ３４０ｍ／ｓとし、（１）式から気柱共鳴周波数を求めると、ほぼ５００Ｈｚ、１０００Ｈｚ、１５００Ｈｚ、２０００Ｈｚ・・・となる。
このため、帯電周波数及びその整数倍の周波数が、（１）式で求められた気柱共鳴周波数に近いと感光体ドラムから騒音が発生することになる。
このように、帯電周波数及びその整数倍の周波数を、気柱共鳴周波数の近傍以外の周波数に設定することが望ましいが、従来の画像形成装置では、作像プロセス上帯電周波数及びその整数倍の周波数を、気柱共鳴周波数の近傍に設定せざる得ないことが多く、気柱共鳴音に基づく騒音の低減をすることが困難なことが多かった。
【０００７】
本発明は、前述したような従来の画像形成装置での気柱共鳴音発生の現状に鑑みてなされたものであり、その目的は、像担持体内部で発生する気柱共鳴周波数による気柱共鳴音の周波数帯域を、画像形成装置の帯電周波数とその整数倍の周波数以外に簡単に設定して騒音を低減する画像形成装置を提供することにある。
【課題を解決するための手段】
【０００８】
前記目的を達成するために、請求項１記載の第１の発明は、静電潜像を担持する像担持体と、該像担持体を保持する像担持体保持部と、前記像担持体を帯電する帯電体とを備えた画像形成装置において、前記像担持体と前記像担持体保持部とに囲まれて形成される円筒状の内部空間に配設され、前記像担持体の軸芯に直角方向に、前記内部空間を密封区分する隔壁と、前記内部空間内で、該隔壁を前記像担持体の軸芯方向の所定位置に配設し、該所定位置を、該所定位置に対応する前記内部空間の気柱共鳴周波数が、前記帯電体の帯電周波数及びその整数倍の周波数以外となる非共鳴位置に位置決め設定する共鳴距離調整手段とを有することを特徴とするものである。
【０００９】
第１の発明では、静電潜像を担持する像担持体と、像担持体を保持する像担持体保持部と、像担持体を帯電する帯電体とを備えた画像形成装置において、像担持体と像担持体保持部とに囲まれて形成される円筒状の内部空間に、像担持体の軸芯に直角方向に、内部空間を密封区分する隔壁が設けられており、共鳴距離調整手段によって、内部空間内で、隔壁が像担持体の軸芯方向の所定位置に位置決め配設される。
そして、この所定位置は、共鳴距離調整手段によって、内部空間の気柱共鳴周波数が、帯電体の帯電周波数及びその整数倍の周波数以外となる非共鳴位置に位置決め設定されるので、気柱共鳴音に基づく騒音が、帯電周波数及びその整数倍の周波数と共鳴増大することが避けられ、騒音のレベルが低減される。
【００１０】
同様に前記目的を達成するために、請求項２記載の第２の発明は、第１の発明に対して、担持体保持部から像担持体の軸芯に平行に突出配設され、先端が隔壁を非共鳴位置に位置決め配設する突起長の突起部がさらに設けられ、共鳴距離調整手段が、前記突起部によって前記隔壁を前記非共鳴位置に位置決めすることを特徴とするものである。
【００１１】
第２の発明では、担持体保持部から像担持体の軸芯に平行に突出配設され、先端が隔壁を非共鳴位置に位置決め配設する突起長の突起部がさらに設けられており、共鳴距離調整手段が、像担持体保持部に固定配設された突起部によって、隔壁は非共鳴位置に簡単正確に位置決めされ、気柱共鳴音に基づく騒音が、帯電周波数及びその整数倍の周波数と共鳴増大することが避けられ、騒音のレベルが低減される。
【００１２】
同様に前記目的を達成するために、請求項３記載の第３の発明は、第１の発明に対して、像担持体保持部を貫通して内部空間内に突出する突起部を備えた位置決め用治具がさらに設けられ、共鳴距離調整手段が、像担持体外部から前記突起部によって、隔壁を非共鳴位置に位置決め配設することを特徴とするものである。
【００１３】
第３の発明では、像担持体保持部を貫通して内部空間内に突出する突起部を備えた位置決め用治具がさらに設けられており、共鳴距離調整手段が、像担持体外部から位置決め用治具の突起部によって、隔壁を非共鳴位置に簡単正確に位置決め配設し、気柱共鳴音に基づく騒音が、帯電周波数及びその整数倍の周波数と共鳴増大することが避けられ、騒音のレベルが低減される。
【００１４】
同様に前記目的を達成するために、請求項４記載の第４の発明は、隔壁が像担持体の内径より僅かに大きい外径の弾性体で形成され、共鳴距離調整手段によって非共鳴位置に位置決めされる隔壁は、弾性復帰力によって前記像担持体の内面に固定保持され、内部空間内に安定に配設されることを特徴とするものである。
【００１５】
第４の発明では、隔壁が像担持体の内径より僅かに大きい外径の弾性体で形成されており、共鳴距離調整手段による距離調整時に、非共鳴位置に位置決めされる隔壁は、弾性復帰力によって像担持体の内面に固定保持され、内部空間内に安定正確に配設され、気柱共鳴音に基づく騒音が、帯電周波数及びその整数倍の周波数と共鳴増大することが避けられ、騒音のレベルが低減される。
【００１６】
同様に前記目的を達成するために、請求項５記載の第５の発明は、第１の発明または第４の発明において、共鳴距離調整手段によって非共鳴位置に位置決め設定される隔壁に、位置調整用の取っ手が設けられていることを特徴とするものである。
【００１７】
第５の発明では、共鳴距離調整手段によって非共鳴位置に位置決め設定される隔壁に、位置調整用の取っ手が設けられているので、第１の発明または第４の発明での作用に加えて、必要に応じて取っ手を利用して隔壁を引き戻すことにより、気柱共鳴周波数の調整を正確に行い、気柱共鳴音に基づく騒音が、帯電周波数及びその整数倍の周波数と共鳴増大することが避けられ、騒音のレベルが低減される。
【００１８】
同様に前記目的を達成するために、請求項６記載の第６の発明は、第１の発明に対して、像担持体保持部及び隔壁を貫通して、像担持体の軸芯位置に前記像担持体保持部を支持する支持軸が、さらに設けられていることを特徴とするものである。
【００１９】
第６の発明では、像担持体保持部及び隔壁を貫通して、像担持体の軸芯位置に像担持体保持部を支持する支持軸が設けられているので、第１の発明での作用に加えて、支持軸で像担持体の軸芯位置を精度よく設定して、気柱共鳴周波数の調整を正確に行い、気柱共鳴音に基づく騒音が、帯電周波数及びその整数倍の周波数と共鳴増大することが避けられ、騒音のレベルが低減される。
【００２０】
同様に前記目的を達成するために、請求項７記載の第７の発明は、第６の発明において、支持軸が像担持体保持部及び隔壁の貫通孔位置で、前記像担持体保持部及び前記隔壁に強固に密封保持されていることを特徴とするものである。
【００２１】
第７の発明では、支持軸が像担持体保持部及び隔壁の貫通孔位置で、像担持体保持部及び隔壁に強固に密封保持されているので、支持軸で像担持体の軸芯位置をより高精度に設定して、第６の発明での作用が実行され、気柱共鳴音に基づく騒音が、帯電周波数及びその整数倍の周波数と共鳴増大することが避けられ、騒音のレベルが低減される。
【００２２】
同様に前記目的を達成するために、請求項８記載の第８の発明は、第１の発明において、隔壁が、像担持体との対接位置において、前記像担持体の軸芯に平行に延長され、前記像担持体の内面との接触面積が拡大されていることを特徴とするものである。
【００２３】
第８の発明では、隔壁が、像担持体との対接位置において、像担持体の軸芯に平行に延長され、像担持体の内面との接触面積が拡大されているので、隔壁が隙間なく像担持体に密接し、気柱共鳴周波数の調整が高精度に行なわれ、気柱共鳴音に基づく騒音が、帯電周波数及びその整数倍の周波数と共鳴増大することが避けられ、騒音のレベルが低減される。
【００２４】
同様に前記目的を達成するために、請求項９記載の第９の発明は、第１の発明において、隔壁には加圧気体が封入される内部空洞が形成され、共鳴距離調整手段によって非共鳴位置に位置決め配設される前記隔壁は、前記加圧気体による接触圧で、前記像担持体の内面に固定保持され内部空間内に安定に配設されることを特徴とするものである。
【００２５】
第９の発明では、隔壁には加圧気体が封入される内部空洞が形成され、共鳴距離調整手段によって非共鳴位置に位置決め配設される隔壁は、加圧気体による接触圧で、像担持体の内面に固定保持され内部空間内に安定に配設されるので、気柱共鳴周波数の調整が高精度に行なわれ、気柱共鳴音に基づく騒音が、帯電周波数及びその整数倍の周波数と共鳴増大することが避けられ、騒音のレベルが低減される。
【００２６】
同様に前記目的を達成するために、請求項１０記載の第１０の発明は、請求項１または請求項４記載の画像形成装置に対して、隔壁の表面に前記隔壁よりも硬い形状安定板がさらに固定されていることを特徴とするものである。
【００２７】
第１０の発明では、隔壁の表面に隔壁よりも硬い形状安定板がさらに固定されているので、隔壁が変形し易い材質であっても、精度のよい移動が行なわれ、気柱共鳴周波数の調整が高精度に行なわれ、気柱共鳴音に基づく騒音が、帯電周波数及びその整数倍の周波数と共鳴増大することが避けられ、騒音のレベルが低減される。
【発明の効果】
【００２８】
第１の発明によると、共鳴距離調整手段によって、内部空間内で、隔壁が像担持体の軸芯方向の所定位置に位置決め配設され、この所定位置が、共鳴距離調整手段によって、内部空間の気柱共鳴周波数が、帯電体の帯電周波数及びその整数倍の周波数以外となる非共鳴位置に位置決め設定されるので、気柱共鳴音に基づく騒音が、帯電周波数及びその整数倍の周波数と共鳴増大することを避けることが可能になり、気柱共鳴音に基づく騒音のレベルを低減することが可能になる。
【００２９】
第２の発明によると、担持体保持部から像担持体の軸芯に平行に突出配設され、先端が隔壁を非共鳴位置に位置決め配設する突起長の突起部がさらに設けられているので、共鳴距離調整手段が、像担持体保持部に固定配設された突起部によって、隔壁を非共鳴位置に簡単正確に位置決めすることが可能になり、気柱共鳴音に基づく騒音が、帯電周波数及びその整数倍の周波数と共鳴増大することを避けることが可能になり、気柱共鳴音に基づく騒音のレベルを低減することが可能になる。
【００３０】
第３の発明によると、像担持体保持部を貫通して内部空間内に突出する突起部を備えた位置決め用治具がさらに設けられているので、共鳴距離調整手段が、像担持体外部から位置決め用治具の突起部によって、隔壁を非共鳴位置に簡単正確に位置決め配設することが可能になり、気柱共鳴音に基づく騒音が、帯電周波数及びその整数倍の周波数と共鳴増大することを避けることが可能になり、気柱共鳴音に基づく騒音のレベルを低減することが可能になる。
【００３１】
第４の発明によると、隔壁が像担持体の内径より僅かに大きい外径の弾性体で形成されおり、共鳴距離調整手段による距離調整時に、非共鳴位置に位置決めされる隔壁は、弾性復帰力によって像担持体の内面に固定保持され、内部空間内に安定正確に配設されるので、気柱共鳴音に基づく騒音が、帯電周波数及びその整数倍の周波数と共鳴増大することを避けることが可能になり、気柱共鳴音に基づく騒音のレベルを低減することが可能になる。
【００３２】
第５の発明によると、共鳴距離調整手段によって非共鳴位置に位置決め設定される隔壁に、位置調整用の取っ手が設けられているので、第１の発明または第４の発明で得られる効果に加えて、必要に応じて取っ手を利用して隔壁を引き戻すことが可能になり、気柱共鳴周波数の調整をより正確に行って、気柱共鳴音に基づく騒音が、帯電周波数及びその整数倍の周波数と共鳴増大することを避けることが可能になり、気柱共鳴音に基づく騒音のレベルを低減することが可能になる。
【００３３】
第６の発明によると、像担持体保持部及び隔壁を貫通して、像担持体の軸芯位置に像担持体保持部を支持する支持軸が設けられているので、第１の発明で得られる効果に加えて、支持軸で像担持体の軸芯位置を精度よく設定することが可能になり、気柱共鳴周波数の調整をより正確に行なうことが可能で、気柱共鳴音に基づく騒音が、帯電周波数及びその整数倍の周波数と共鳴増大することを避けることが可能になり、気柱共鳴音に基づく騒音のレベルを低減させることが可能になる。
【００３４】
第７の発明によると、支持軸が像担持体保持部及び隔壁の貫通孔位置で、像担持体保持部及び隔壁に強固に密封保持されているので、支持軸で像担持体の軸芯位置をより高精度に設定することが可能になり、第６の発明で得られる効果が実現され、気柱共鳴音に基づく騒音が、帯電周波数及びその整数倍の周波数と共鳴増大することを避けることが可能になり、気柱共鳴音に基づく騒音のレベルを低減することが可能になる。
【００３５】
第８の発明によると、隔壁が、像担持体との対接位置において、像担持体の軸芯に平行に延長され、像担持体の内面との接触面積が拡大されているので、隔壁を隙間なく像担持体に密接することが可能になり、気柱共鳴周波数の調整を高精度で行なうことが可能になり、気柱共鳴音に基づく騒音が、帯電周波数及びその整数倍の周波数と共鳴増大することを避けることが可能になり、気柱共鳴音に基づく騒音のレベルの低減が可能になる。
【００３６】
第９の発明によると、隔壁には加圧気体が封入される内部空洞が形成され、共鳴距離調整手段によって非共鳴位置に位置決め配設される隔壁が、加圧気体による接触圧で、像担持体の内面に固定保持とれ内部空間内に安定に配設されるので、気柱共鳴周波数の調整を高精度に行なうことが可能になり、気柱共鳴音に基づく騒音が、帯電周波数及びその整数倍の周波数と共鳴増大することを避けることが可能になり、気柱共鳴音に基づく騒音のレベルを低減することが可能になる。
【００３７】
第１０の発明によると、隔壁の表面に隔壁よりも硬い形状安定板がさらに固定されているので、隔壁が変形し易い材質であっても、精度のよい移動を行なわせることが可能になり、気柱共鳴周波数の調整を高精度に行なうことが可能になり、気柱共鳴音に基づく騒音が、帯電周波数及びその整数倍の周波数と共鳴増大することを避けることが可能になり、気柱共鳴音に基づく騒音のレベルを低減することが可能になる。
【発明を実施するための最良の形態】
【００３８】
以下に本発明を、各実施の形態に基づき、図面を参照して説明する。
図１ないし図８は、それぞれ本発明の第１の実施の形態ないし第８の実施の形態の構成を示す断面説明図である。
【００３９】
〔第１の実施の形態〕
本実施の形態では、図１に示すように、両端面が解放面とされた円筒状の像担持体１が設けられ、この像担持体１の互いに対向する解放面は、ほぼ円板形状の像担持体保持部２Ａと、像担持体保持部２Ａｏとによって、それぞれ塞がれた構成となっている。また、このように両解放端面が像担持体保持部２Ａ、２Ａｏによって密封閉塞された像担持体１の内部空間には、像担持体１の軸芯方向の所定位置に、軸芯に直角方向に内部空間を密封区分するように円板状の隔壁５Ａが配設されている。この隔壁５Ａの位置決め設定によって、本実施の形態の円筒体長さｘが選択設定されることになる。
そして、像担持体１の外周面に対接するように、像担持体１を均一に帯電する帯電体３が配設されている。
【００４０】
本実施の形態では、隔壁５Ａの位置決め設定で得られる円筒体長さｘを使用して、（１）式に基づいて気柱共鳴音の気柱共鳴周波数ｆが演算されるが、この場合、前述したような構成の像担持体１と帯電体３が組み込み使用される画像形成装置の帯電電圧の周波数が検出され、検出された帯電電圧の周波数及びその整数倍の周波数から、離れた周波数帯域に（１）式で演算される気柱共鳴周波数ｆが位置するように、隔壁５Ａを非共鳴位置に位置決め設定により、非共鳴状態が設定される円筒体長さｘが選択される。
【００４１】
このようにして、本実施の形態によると、像担持体１の内部空間の気柱共鳴周波数が、帯電体３の帯電周波数及びその整数倍の周波数以外となる非共鳴位置に、隔壁５Ａが位置決め設定されるので、像担持体１の内部空間の気柱共鳴音に基づく騒音が、帯電周波数及びその整数倍の周波数と共鳴増大することを避けることが可能になり、気柱共鳴音に基づく騒音のレベルを大幅に低減することが可能になる。
【００４２】
〔第２の実施の形態〕
本実施の形態では、図２に示すように、すでに説明した第１の実施の形態の像担持体保持部２Ａに代えて、像担持体保持部２Ａに対して、像担持体１の軸芯に平行に突起部６ａ、６ｂが一体に突出形成された像担持体保持部２Ｂが使用されている。
この像担持体保持部２Ｂの突起部６ａ、６ｂの突出長は、突起部６ａ、６ｂの先端が、隔壁５Ａの一面に対接した位置で、隔壁５Ａを非共鳴位置に位置決め設定するように選択されている。
本実施の形態のその他の部分は、すでに説明した第１の実施の形態と同一なので、重複する説明は行なわない。
【００４３】
本実施の形態によると、内部空間内において、突起部６ａ、６ｂの先端が、隔壁５Ａの一面に対接する位置に、隔壁５Ａを位置決め設定して、像担持体保持部２Ａ、２Ａｏによって、像担持体１の解放面をそれぞれ閉塞する簡単な処理で、像担持体１の内部空間の気柱共鳴周波数が、帯電体３の帯電周波数及びその整数倍の周波数以外となる非共鳴位置に、隔壁５Ａを位置決め設定することが可能になり、像担持体１の内部空間の気柱共鳴音に基づく騒音が、帯電周波数及びその整数倍の周波数と共鳴増大することを避けることが可能で、気柱共鳴音に基づく騒音のレベルを大幅に低減することが可能になる。
【００４４】
〔第３の実施の形態〕
本実施の形態には、図３に示すように、治具挿入孔１１ａ、１１ｂが形成された像担持体保持部２Ｃが使用され、突起部７ａ、７ｂを備え、内部空間内の隔壁５Ａの位置決めを外部から行なう位置決め治具７が設けられている。
本実施の形態のその他の部分の構成は、すでに説明した第１の実施の形態と同一なので重複する説明は行なわない。
【００４５】
本実施の形態では、位置決め治具７の突起部７ａ、７ｂを、像担持体保持部２Ｃの治具挿入孔１１ａ、１１ｂを貫通させ、位置決め治具７を押し込むことによって、突起部７ａ、７ｂの先端で隔壁５Ａが非共鳴位置に位置決め設定される。
本実施の形態によると、解放面が像担持体保持部２Ａ２、Ａｏで閉塞された状態で、位置決め治具７によって、像担持体１の外部から簡単に隔壁５Ａを非共鳴位置に位置決め設定することが可能になり、像担持体１の内部空間の気柱共鳴音に基づく騒音が、帯電周波数及びその整数倍の周波数と共鳴増大することを避けることが可能で、気柱共鳴音に基づく騒音のレベルを大幅に低減することが可能になる。
【００４６】
〔第４の実施の形態〕
本実施の形態は、図４に示すように、像担持体１の内部空間に位置する隔壁５Ｂには、像担持体保持部２Ａ側の板面に、内部空間内の隔壁５Ｂを、引き戻すなどの処理で位置の微調整する取っ手９が一体に形成されている。
本発明のその他の部分の構成は、すでに説明した第１の実施の形態と同一なので、重複する説明は行なわない。
【００４７】
本実施の形態によると、取っ手９によって隔壁５Ｂ位置を微調整して、精度よく非共鳴位置に位置決め設定することが可能になり、像担持体１の内部空間の気柱共鳴音に基づく騒音が、帯電周波数及びその整数倍の周波数と共鳴増大することを避けることが可能で、気柱共鳴音に基づく騒音のレベルを大幅に低減することが可能になる。
【００４８】
〔第５の実施の形態〕
本実施の形態は、図５に示すように、軸芯位置に挿入孔１１ｄが形成された像担持体２Ｄと、軸芯位置に挿入孔１１ｃが形成された隔壁５Ｃとが使用され、これらの挿入孔１１ｃ、１１ｄ及び像担持体保持部２Ａｏを貫通して、像担持体１の軸芯位置に支持軸８が固定配設されている。
本発明のその他の部分の構成は、すでに説明した第１の実施の形態と同一なので、重複る説明は行なわない。
【００４９】
本実施の形態によると、第１の発明で得られる効果に加えて、支持軸で像担持体の軸芯位置を精度よく設定することが可能になり、気柱共鳴周波数の調整をより正確に行なうことが可能で、気柱共鳴音に基づく騒音が、帯電周波数及びその整数倍の周波数と共鳴増大することを避けることが可能になり、気柱共鳴音に基づく騒音のレベルを低減させることが可能になる。
【００５０】
〔第６の実施の形態〕
本実施の形態では、図６に示すように、隔壁５Ｄは、像担持体１内面との対接位置において、像担持体１の軸芯に平行に延長され、像担持体１の内面との接触面積が拡大されている。
本実施の形態のその他の部分の構成は、すでに説明した第１の実施の形態と同一なので、重複する説明は行なわない。
【００５１】
本実施の形態によると、隔壁５Ｄを対接部１３ａ、１３ｂによって、隙間なく像担持体１の内周面に密接することが可能になり、気柱共鳴周波数の調整を高精度で行なうことが可能で、気柱共鳴音に基づく騒音が、帯電周波数及びその整数倍の周波数と共鳴増大することを避けることが可能になり、気柱共鳴音に基づく騒音のレベルの低減が可能になる。
【００５２】
〔第７の実施の形態〕
本実施の形態では、図７に示すように、隔壁５Ｅには内部空洞１２が形成され、この内部空洞１２には加圧気体が封入されている。
本実施の形態のその他の部分の構成は、すでに説明した第１の実施の構成と同一なので、重複する説明は行なわない。
【００５３】
本実施の形態によると、非共鳴位置に位置決め配設される隔壁５Ｅが、加圧気体による接触圧で、像担持体１の内面に固定保持され内部空間内に安定に配設されるので、気柱共鳴周波数の調整を高精度に行なうことが可能になり、気柱共鳴音に基づく騒音が、帯電周波数及びその整数倍の周波数と共鳴増大することを避けることが可能で、気柱共鳴音に基づく騒音のレベルを低減することが可能になる。
【００５４】
〔第８の実施の形態〕
本実施の形態では、図８に示すように、隔壁５Ｆの表面には隔壁５Ｆよりも硬い側板１０が固定されている。
本実施の形態のその他の部分の構成は、すでに説明した第１の実施の形態と同一なので、重複する説明は行なわない。
【００５５】
本実施の形態によると、隔壁５Ｅが例えば弾性体のように変形し易い材質であっても 、側板１０によって隔壁５Ｅの形状を一定形状に保持することが可能になり、隔壁５Ｅに対して精度のよい移動を行なわせることが可能で、気柱共鳴周波数の調整を高精度に行なうことが可能となり、気柱共鳴音に基づく騒音が、帯電周波数及びその整数倍の周波数と共鳴増大することを避けることが可能で、気柱共鳴音に基づく騒音のレベルを低減することが可能になる。
【図面の簡単な説明】
【００５６】
【図１】本発明の第１の実施の形態の構成を示す断面説明図である。
【図２】本発明の第２の実施の形態の構成を示す断面説明図である。
【図３】本発明の第３の実施の形態の構成を示す断面説明図である。
【図４】本発明の第４の実施の形態の構成を示す断面説明図である。
【図５】本発明の第５の実施の形態の構成を示す断面説明図である。
【図６】本発明の第６の実施の形態の構成を示す断面説明図である。
【図７】本発明の第７の実施の形態の構成を示す断面説明図である。
【図８】本発明の第８の実施の形態の構成を示す断面説明図である。
【符号の説明】
【００５７】
１  像担持体
２Ａ、２Ａｏ、２Ｂ、２Ｃ、２Ｄ  像担持体保持部
３  帯電体
５Ａ、５Ｂ、５Ｃ、５Ｄ、５Ｅ、５Ｆ  隔壁
６ａ、６ｂ  突起部
７  位置決め治具
７ａ、７ｂ  突起部
８  支持軸
９  取っ手
１０  側板
１１ａ、１１ｂ  治具挿入孔
１１ｃ、１１ｄ  挿入孔
１２  内部空洞
１３ａ、１３ｂ  対接部
【図１】
2006072089.tif 000003
【図２】
2006072089.tif 000004
【図３】
2006072089.tif 000005
【図４】
2006072089.tif 000006
【図５】
2006072089.tif 000007
【図６】
2006072089.tif 000008
【図７】
2006072089.tif 000009
【図８】
2006072089.tif 000010